(57)【要約】【課題】ディスプレイ台を大幅に設計変更することなくディスプレイ台に展示された商品見本が空中に浮かんでいるように展示することが可能な自動販売機の商品見本展示装置を提供する。【解決手段】外扉に形成されたディスプレイ室内に配設され、複数の商品見本を展示する商品載置台２および左右一対のブラケット３，３からなるディスプレイ台１を備えた自動販売機の商品見本展示装置であって、商品載置台２は、その上面のステージ２１に商品見本８０を嵌合保持する嵌合部２４を形成するフレーム２５を備え、当該フレーム２５の前方域を切欠いて開放してなり、ディスプレイ台１を構成する商品載置台２の嵌合部２４に商品見本を嵌合保持させた場合、前記嵌合部２４を形成するフレーム２５は商品見本に隠れてディスプレイ室内に露出することがない、つまり、利用者が商品見本を見て購入商品を選択する場合にも利用者の目に留まることがないので、商品見本が浮遊しているように展示することが可能となる。【選択図】図２
2014099153.tif 000002
【特許請求の範囲】
【請求項１】
本体キャビネットの前面を開閉する外扉に形成されたディスプレイ室内に配設され、複数の商品見本を展示するステージを有するディスプレイ台を備えた自動販売機の商品見本展示装置において、
前記ディスプレイ台のステージに商品見本を嵌合保持する嵌合部を形成するフレームを備え、当該フレームの前方域を開放、若しくはフレームの前方域を切欠いて開口部を形成してなることを特徴とする自動販売機の商品見本展示装置。
【請求項２】
請求項１に係る自動販売機の商品見本展示装置において、ディスプレイ台は複数の商品見本を展示するステージを有する商品載置台および前記商品載置台を保持する左右一対のブラケットからなり、商品載置台の上面のステージに商品見本を嵌合保持する嵌合部を形成するフレームの前方域を開放してなる場合、商品見本の冷温情報および価格情報を表示する冷温情報表示部材および価格情報表示部材を保持するホルダーを追加装備し、当該ホルダーを商品選択ボタンユニットの取付金具に固着してなることを特徴とする自動販売機の商品見本展示装置。
【請求項３】
本体キャビネットの前面を開閉する外扉に形成されたディスプレイ室内に配設され、複数の商品見本を展示するステージを有するディスプレイ台を備えた自動販売機の商品見本展示装置において、
前記ディスプレイ台のステージに商品見本を嵌合保持する嵌合部を形成するフレームを備え、当該フレームの前方域を開放、若しくはフレームの前方域を切欠いて開口部を形成してなり、かつ、前記商品載置台のフレームの前方域を覆う光透過性材料からなるプレートを設けたことを特徴とする自動販売機の商品見本展示装置。
【発明の詳細な説明】
【技術分野】
【０００１】
この発明は、自動販売機における本体キャビネットの商品収納庫内に缶入り飲料，ペットボトル入り飲料などの商品をコールド，ホット状態に区分して保存し、外扉のディスプレイ室内に設置したディスプレイ台上に複数の商品見本を左右に並べて展示した自動販売機の商品見本展示装置に関するものである。
【背景技術】
【０００２】
この種の従来の自動販売機の商品見本展示装置について図１２を用いて説明する。図１２は一般的な缶入り飲料，ペットボトル入り飲料を販売する自動販売機の斜視図である。図に示すように、この自動販売機は、前面が開放した断熱筐体として形成された本体キャビネット１０と、本体キャビネット１０の前面に開閉可能に支持された外扉２０とからなる。本体キャビネット１０の商品収納庫の前面は開閉可能な断熱内扉３０によって閉塞されている。本体キャビネット１０の商品収納庫内には、断熱仕切壁により左右方向に複数の商品収納室に区分され、各商品収納室には商品を横倒し状態で収納するとともに下端部に商品搬出機構を有する商品収納ラックが収設され、また、各商品収納室の下端には、当該各商品収納室を冷却若しくは加熱して商品収納ラックに収納した商品をコールド，ホット状態に保存する冷却／加熱ユニットが配設されている。本体キャビネット１０の下部は機械室として形成され、冷却／加熱ユニットの冷却ユニットと冷媒配管を介して接続される圧縮機，凝縮器などの冷凍機コンデンシングユニットが配設されている。
【０００３】
前記外扉２０の前面の上部域は透明板４０で覆われ、この透明板４０と外扉２０に開閉可能に支持された中扉６０との間の空間がディスプレイ室５０として形成されている。前記中扉６０の前面には、本体キャビネット１０の商品収納庫内に収納した商品に対応した複数の商品見本８０を左右に一列に並べて載置したディスプレイ台７０が上下方向に３段並べて取付けられている。前記透明板４０には、各ディスプレイ台７０と対峙する位置に商品選択ボタンユニット９０が設けられ、商品選択ボタンユニット９０は、ディスプレイ台７０に載置された各商品見本８０に対応して左右に一列に並べて設けた商品選択ボタン９０１を有している。前記外扉２０の前面には、硬貨投入口２０１、紙幣挿入口２０２、返却レバー２０３、ロック付ハンドル２０４、硬貨返却口２０５、および商品取出口２０６などが設けられ、前記外扉２０の前面には、前記硬貨投入口２０１に連通する硬貨識別装置２０７、前記紙幣挿入口２０２に連通する紙幣識別装置２０８などが設けられている。
【０００４】
前記ディスプレイ台７０は、良く知られているように、中扉６０に固定された左右一対のブラケットと、この左右一対のブラケットに着脱自在に装着される商品載置台とからなる。前記商品載置台は、縦断面略コ字形で下方が開放した横長箱状体の内部に蛍光灯などの照明光源が設けられ、その上面壁には商品見本８０を嵌合保持する開口した嵌合部が左右方向に複数並設されている（例えば、特許文献１）。
【０００５】
前記商品見本８０は光透過材料により形成された中空状の本体部に商品のデザインが施されるとともに当該本体部の底面に光導入部が設けられている。前記商品見本８０は前記ディスプレイ台７０の商品載置台に形成した嵌合部に嵌合保持され、ディスプレイ台７０の内部に設けた照明光源からの光がディスプレイ台７０の開口した嵌合部と商品見本８０の底部に形成した光導入部とを通して本体部の内部に照射されることにより恰も発光しているように展示される。前記商品見本８０は立体、具体的には、缶，瓶，ペットボトルなどの容器形状に一致させた中空状の本体部を備えた立体状の商品見本や、前記中空状の本体部を縦方向に半分に切断した半割り状の商品見本などが一般的である。
【０００６】
また、ディスプレイ台７０の前面壁に、アクリル樹脂により横長帯状に形成された冷温情報表示部材および価格情報表示部材を前後に重ね合わせて配設することにより、ディスプレイ台７０の上面壁に展示された複数の商品見本８０のコールド，ホット状態（冷温情報）および価格情報を表示するのが一般的である。この横長帯状の冷温情報表示部材に代えて、冷温情報が表示された無端の帯状冷温情報表示体を設け、この帯状冷温情報表示体を前記ディスプレイ台７０にその左右両端で折り返して架け渡し、ディスプレイ台７０の前面に露出した帯状冷温情報表示体に重ねて横長帯状の価格情報表示部材を配設したものも知られている（例えば、特許文献２）。
【先行技術文献】
【特許文献】
【０００７】
【特許文献１】特許第３６４４３０１号公報
【特許文献２】特開２００５−２９３４５８号公報
【発明の概要】
【発明が解決しようとする課題】
【０００８】
上記特許文献１に記載された自動販売機の商品見本展示装置においては、前記ディスプレイ台７０の商品載置台に形成した嵌合部に嵌合保持された商品見本８０が、ディスプレイ台７０の内部に設けた照明光源からの光によりその内部から照射されることにより恰も発光しているように展示される点で優れている。しかしながら、商品見本８０を展示するディスプレイ台７０はディスプレイ室５０に露出していることから、利用者が商品見本８０を見て購入商品を選択する場合に利用者の目に留まることとなる。この場合、見栄えを良くするためにディスプレイ台７０の商品展示台が白色塗料により塗装されているとはいえ、ディスプレイ室５０に占めるディスプレイ台７０の商品載置台の割合が比較的大きいことからディスプレイ台７０の商品載置台自体が目立ってしまい商品見本８０が霞んでしまうという問題を有する。この問題を解決するため、ディスプレイ台７０を透明な合成樹脂成形品とすることが考えられるが、この場合にはディスプレイ台を大幅に設計変更せねばならないとともに成形のための金型費が嵩むという問題を有する。
【０００９】
そこで、本発明は上記の点に鑑みなされたものであり、第一の目的は前記課題を解決し、ディスプレイ台を大幅に設計変更することなくディスプレイ台に展示された商品見本が空中に浮かんでいるように展示することが可能な自動販売機の商品見本展示装置を提供することにある。
【００１０】
また、本発明の第二の目的は、さらに加えて商品見本の光による演出が可能な自動販売機の商品見本展示装置を提供することにある。
【課題を解決するための手段】
【００１１】
上記第一の目的を達成するため請求項１に係る発明は、本体キャビネットの前面を開閉する外扉に形成されたディスプレイ室内に配設され、複数の商品見本を展示するステージを有するディスプレイ台を備えた自動販売機の商品見本展示装置において、前記ディスプレイ台のステージに商品見本を嵌合保持する嵌合部を形成するフレームを備え、当該フレームの前方域を開放、若しくはフレームの前方域を切欠いて開口部を形成してなることを特徴とする。
【００１２】
また、上記第一の目的を達成するため請求項２に係る発明は、請求項１に係る自動販売機の商品見本展示装置において、ディスプレイ台は複数の商品見本を展示するステージを有する商品載置台および前記商品載置台を保持する左右一対のブラケットからなり、商品載置台の上面のステージに商品見本を嵌合保持する嵌合部を形成するフレームの前方域を開放してなる場合、商品見本の冷温情報および価格情報を表示する冷温情報表示部材および価格情報表示部材を保持するホルダーを追加装備し、当該ホルダーを商品選択ボタンユニットの取付金具に固着してなることを特徴とする。
【００１３】
また、上記第二の目的を達成するため請求項３に係る発明は、本体キャビネットの前面を開閉する外扉に形成されたディスプレイ室内に配設され、複数の商品見本を展示するステージを有するディスプレイ台を備えた自動販売機の商品見本展示装置において、前記ディスプレイ台のステージに商品見本を嵌合保持する嵌合部を形成するフレームを備え、当該フレームの前方域を開放、若しくはフレームの前方域を切欠いて開口部を形成してなり、かつ、前記商品載置台のフレームの前方域を覆う光透過性材料からなるプレートを設けたことを特徴とする。
【発明の効果】
【００１４】
本発明の請求項１に係る自動販売機の商品見本展示装置によれば、本体キャビネットの前面を開閉する外扉に形成されたディスプレイ室内に配設され、複数の商品見本を展示するステージを有するディスプレイ台を備えた自動販売機の商品見本展示装置において、前記ディスプレイ台のステージに商品見本を嵌合保持する嵌合部を形成するフレームを備え、当該フレームの前方域を開放、若しくはフレームの前方域を切欠いて開口部を形成してなることにより、ディスプレイ台を構成する商品載置台の嵌合部に商品見本を嵌合保持させた場合、前記嵌合部を形成するフレームは商品見本に隠れてディスプレイ室内に露出することがない、つまり、利用者が商品見本を見て購入商品を選択する場合にも利用者の目に留まることがないので、従来のように商品載置台によって商品見本が霞んでしまうということを防止することができ、さらに、ディスプレイ台を構成する商品載置台は、その上面のステージに商品見本を嵌合保持する嵌合部を形成するフレームを備え、当該フレームの前方域を切欠いて開口部を形成、若しくは前記フレームの前方域を開放するという、従来のディスプレイ台の商品載置台に対して僅かの設計変更のみで恰も商品見本が空中に浮かんでいるように展示することが可能である。
【００１５】
また、請求項２に係る発明によれば、請求項１に係る自動販売機の商品見本展示装置において、ディスプレイ台は複数の商品見本を展示するステージを有する商品載置台および前記商品載置台を保持する左右一対のブラケットからなり、商品載置台の上面のステージに商品見本を嵌合保持する嵌合部を形成するフレームの前方域を開放してなる場合、商品見本の冷温情報および価格情報を表示する冷温情報表示部材および価格情報表示部材を保持するホルダーを追加装備し、当該ホルダーを商品選択ボタンユニットの取付金具に固着してなることにより、ディスプレイ台を構成する商品載置台から冷温情報表示部材および価格情報表示部材が分離されることからディスプレイ台（商品載置台）の清掃の際に冷温情報表示部材および価格情報表示部材が邪魔になることがないので清掃作業が容易となる利点を有する。
【００１６】
さらに、請求項３に係る発明によれば、本体キャビネットの前面を開閉する外扉に形成されたディスプレイ室内に配設され、複数の商品見本を展示するステージを有するディスプレイ台を備えた自動販売機の商品見本展示装置において、前記ディスプレイ台のステージに商品見本を嵌合保持する嵌合部を形成するフレームを備え、当該フレームの前方域を開放、若しくはフレームの前方域を切欠いて開口部を形成してなり、かつ、前記商品載置台のフレームの前方域を覆う光透過性材料からなるプレートを設けたことにより、プレートを有色、例えば、販売商品のキャラクターの色，販売商品をイメージした色とすることによってディスプレイ室内を光により演出することが可能となる。また、プレートを商品見本の冷温情報に一致した暖色系，寒色系の色とすることによりホット，コールド状態を表示することも可能である。
【図面の簡単な説明】
【００１７】
【図１】本発明の実施の形態１に係る自動販売機の商品見本展示装置の要部斜視図である。
【図２】図１に示したディスプレイ台の分解斜視図である。
【図３】ディスプレイ台の組立て状態を示し、（ａ）は商品載置台を商品展示位置にセットした状態の側面図、（ｂ）は商品載置台をメンテナンス位置に移動させた状態の側面図である。
【図４】図２に示したホルダーの取付状態を示し、（ａ）はホルダーを取付金具に取り付けた状態の側面図、（ｂ）は（ａ）の分解図である。
【図５】本発明の実施の形態２に係る自動販売機の商品見本展示装置の要部斜視図である。
【図６】図５のディスプレイ台の分解図である。
【図７】本発明の実施の形態３に係る自動販売機の商品見本展示装置の要部斜視図である。
【図８】商品載置台、ブラケットおよび押え金具の拡大斜視図である。
【図９】図７に示したディスプレイ台の分解斜視図である。
【図１０】図７のディスプレイ台を外扉に取付けて商品展示位置にセットした状態を示し、（ａ）は外扉の前方斜め上方から見た斜視図、（ｂ）は外扉の背面斜め上方から見た斜視図である。
【図１１】図７のディスプレイ台を外扉に取付けてメンテナンス位置に移動させた状態を示し、（ａ）は外扉の前方斜め上方から見た斜視図、（ｂ）は外扉の背面斜め上方から見た斜視図である。
【図１２】本発明が対象とする自動販売機の一例を示し、（ａ）はその正面図、（ｂ）は外扉を開放した状態の斜視図である。
【発明を実施するための形態】
【００１８】
以下、本発明の実施の形態に係る自動販売機の商品見本展示装置について添付図面を参照して説明する。ここで、本発明の実施の形態に係る自動販売機の商品見本展示装置が従来装置と相違する点は特にディスプレイ台の周辺であるので、ここでは従来装置と相違するディスプレイ台の周辺について説明することとし、また、自動販売機の全体構成は図１２に示したものと同一であるので適宜図１２を参照しつつ説明を行う。
（実施の形態１）
図１において、１は本発明に係るディスプレイ台であり、商品載置台２およびブラケット３からなる。４は冷温情報，価格情報が表示された商品情報表示部材４であり、この実施の形態では後述するようにディスプレイ台１（商品載置台２）から分離されている。５は前記商品情報表示部材４が装着されるホルダーである。このホルダー５は、図１２に示した商品選択ボタン９０１を有する商品選択ボタンユニット９０を構成する取付金具９１（図４にて詳述する）に取り付けられている。６はディスプレイ台１に組み付けられたプレートである。
【００１９】
前記ディスプレイ台１は、図２の分解図から分かるように、横長の商品載置台２および左右一対のブラケット３，３とからなり、これらの商品載置台２および左右一対のブラケット３，３はそれぞれ薄板鋼板製になる。前記商品載置台２は、上面を形成するステージ２１と、当該ステージ２１の左右端縁に連なる左右側壁２２，２２と、前記ステージ２１の後縁から立ち上がる複数の取付片２３とからなる。前記商品載置台２のステージ２１には、商品見本８０が嵌合係止される複数、この実施の形態１では１２個からなる略円形状の嵌合部２４を形成するフレーム２５が形成されている。前記複数のフレーム２５の後方域は一体的に連結されたステージ平面として形成されるとともに塵埃が溜まるのを防止する抜き穴２１１が形成される一方、複数のフレーム２５のそれぞれ前方域はフレーム２５の前縁を残して切り落とされて開放（空白として形成）されている。また、ステージ２１の左右両端には側壁２２，２２に連なる係合板部２６，２６が設けられ、当該係合板部２６，２６には下方に押し出し形成されたストッパ２６１およびクランプ（ナイロンリベットなど）ＣＰの挿通孔２６２が形成されている。
【００２０】
前記商品載置台２の左右側壁２２，２２にはそれぞれ内側に向って突出する支持軸２２１が従来と同様に設けられている。この支持軸２２１は、図３の（ａ）も参照すると理解できるように、横断面Ｄ字状に形成されてＤ字の直線部分が水平面として上方に位置するように左右側壁２２，２２に固着されている。また、左右側壁２２，２２の前縁には内方に向うストッパ片２２２，２２２が突出形成されている。前記ステージ２１の後縁から立ち上がる複数の取付片２３は、中身飲料を抜いた実物の商品（例えば、円柱形状の実缶）を両腕で抱え込むように保持する保持具（不図示）を取り付けるものである。前記取付片２３および当該取付片２３に取り付けられる保持具は、例えば、特開平１０−７９０７８号公報に記載されて公知のものであり、商品見本のみを展示する場合には無くても良いものである。
【００２１】
前記商品載置台２とともにディスプレイ台１を構成する左右一対のブラケット３，３は商品載置台２を支持する腕木として機能するものである。この左右一対のブラケット３，３は左右対称に形成されているので、ここでは図の右側のブラケット３について説明し、適宜左側のブラケット３を参照しつつ説明する。
【００２２】
前記ブラケット３には、その板面に前記商品載置台２の左右側壁２２，２２に形成された支持軸２２１を嵌合支持する異形溝３１（図３も参照）が形成され、また、ブラケット３の上縁には内側を向くように突出した係止片３２が折り曲げて形成され、さらにブラケット３の後縁には内側を向く背板３３（左側のブラケット３を参照）が折り曲げて形成され、当該背板３３には背面側に突出するとともに下方に延在した係合爪３３１（図３参照）が切り起こしにより形成されている。前記異形溝３１は、図３を参照すると理解できるように、前記支持軸２２１を回転可能に支える前半域の円弧状溝部３１１と、前記円弧状溝部３１１に連ねて後半域に形成され、前記支持軸２２１の移動を拘束して商品載置台２を展示位置に保持するスライド溝部３１２と、前記円弧状溝部３１１とスライド溝部３１２との中間位置からブラケット３の上縁に切欠き開口した挿脱溝部３１３とを組み合わせて形成されている。前記円弧状溝部３１１は支持軸２２１より一回り大きな円弧状に形成され、また、前記スライド溝部３１２の高さ寸法ｈは支持軸２２１の高さｒよりも僅かに大きな寸法に定められている。なお、ブラケット３の前縁下部に前方に突出するとともに内側に折り曲げて形成した保護片３４にはナイロンリベット３４１（図３参照）が取り付けられている。
【００２３】
前記ディスプレイ台１に組み付けられるプレート６は、商品載置台２のステージ２１よりも一回り小さい横長のガラス若しくはプラスチック成形品になる。このプレート６には商品載置台２１のフレーム２５に対応して１２個の抜き穴６１が形成され、左右端部および後端にはクランプＣＬの係止孔６２が形成されている。前記抜き穴６１は、商品載置台２１のフレーム２５の外郭に略一致する大きさに形成されている。この抜き穴６１の大きさは、商品載置台２１のフレーム２５により形成される嵌合部２４に商品見本８０を嵌合させた際に商品見本８０の嵌合部に当接することがない大きさ、つまり、商品見本８０の嵌合保持に悪影響を与えない大きさであれば良いものである。前記プレート６１は商品載置台２におけるステージ２１の下面に挿入、すなわち、前記商品載置台２におけるステージ２１の左右両端に形成した係合板部２６，２６と、左右側壁２２，２２の前縁に形成した内方に向うストッパ片２２２，２２２との間からステージ２１の下面に挿入される。そして、プレート６１の左右端部および後端に形成した係止孔６２に、前記ステージ２１の左右両端の係合板部２６，２６に形成した挿通孔２６２およびステージ２１の後端に形成した挿通孔（参照符号省略）を介してクランプＣＬを差し込むことによってプレート６が商品載置台２に一体化される。前記プレート６は透明であっても良いが、プレート６を有色、例えば、販売商品をイメージした色，販売商品のキャラクターの色、若しくは商品見本８０の冷温情報に一致した暖色系，寒色系の色に着色されたものとすることもできる。なお、プレート６の左右端部の後方側は商品載置台２の係合板部２６，２６形成されたストッパ２６１を逃げるために切欠かれている。
【００２４】
次に、図２に示すディスプレイ台１の組立てについて図３をも参照しつつ説明すると、まず、左右一対のブラケット３，３をディスプレイ室の中扉６０（図１２参照）に取付ける。このブラケット３，３の中扉６０への取付けは、ブラケット３，３の後端面に切り起しにより形成された係合爪３３１を中扉６０の所定位置に設けた角穴に挿入係止させる。これによりブラケット３，３が中扉６０の所定位置に固定される。次いで、中扉６０に固着された左右一対のブラケット３，３に対して、プレート６が一体化された商品載置台２を、左右一対のブラケット３，３の上方から被せるように装着する。この場合、商品載置台２の左右側壁２２，２２に内側に向けて突出する支持軸２２１をブラケット３，３の挿脱溝部３１３に対峙させた上で、商品載置台２をブラケット３，３に被せる。そして、商品載置台２のステージ２１の内壁がブラケット３，３の上縁に当接すると、支持軸２２１がブラケット３，３の異形溝３１に嵌合した状態で商品載置台２がブラケット３，３に一体化される。この状態で商品載置台２を後方（中扉６０側）にスライドさせると、支持軸２２１が異形溝３１のスライド溝部３１２に移動し、前記支持軸２２１における水平面がスライド溝部３１２の平坦な上縁に対峙する。前記商品載置台２を後方にスライドさせる途中において、商品載置台２のステージ２１の両端の係合板部２６に形成されたストッパ２６１がブラケット３，３の上縁に内側を向くように形成された係止片３２を乗り越える。そして、商品載置台２の後端が中扉６０に当接するまでスライドさせると商品載置台２の係合板部２６に形成されたストッパ２６１がブラケット３，３の係止片３２，３２の後方側に落とし込まれる。この場合、前記商品載置台２のステージ２１（の内壁）がそれぞれの係止片３２，３２を乗り越えることができるように、支持軸２２１の水平面とスライド溝部３１２の平坦な上縁との間には遊びが形成されているものである。前記商品載置台２の係合板部２６に形成されたストッパ２６１がブラケット３，３の係止片３２，３２の後方に落し込まれると前記商品載置台２の支持軸２２１が異形溝３１のスライド溝部３１２に移動した状態、つまり、商品載置台２が商品展示位置にセットされた状態（図３の（ａ））であり、図１はこのように商品載置台２が商品展示位置にセットされた状態を示している。図１からも分かるように、商品載置台２のステージ２１は商品見本８０に隠れて見えず、そして、前記商品載置台２のステージ２１における複数のフレーム２５のそれぞれ前方域がフレーム２５の前縁を残して切り落とされて開放（空白として形成）されていることから商品見本８０は空中に浮かんでいるように展示されるものである。
【００２５】
図３の（ａ）に示すように商品載置台２を商品展示位置にセットした状態から商品載置台２を若干持ち上げる、つまり商品載置台２の係合板部２６に形成されたストッパ２６１がブラケット３，３の上縁に内側を向くように形成された係止片３２，３２に引っ掛からないように上方に持ち上げたうえで商品載置台２を前方にスライド移動させると、商品載置台２の左右側壁２２，２２に形成した支持軸２２１がブラケット３，３の異形溝３１における後半域のスライド溝部３１２から前半域の円弧状溝部３１１に移動する。前記支持軸２２１が円弧状溝部３１１に達すると商品載置台２の前方への移動が阻止されるので、支持軸２２１が円弧状溝部３１１、つまり、メンテナンス位置に到達したことを知ることができる。そこで、商品載置台２を、前記支持軸２２１を支点として前方側に回動させると商品載置台２がメンテナンス位置で前傾するように傾倒し始める。そして、商品載置台２の左右側壁２２，２２に形成したストッパ片２２２，２２２（図２参照）がブラケット３，３の保護片３４に取り付けたナイロンリベット３４１に当接すると商品載置台２は前傾姿勢に傾倒した状態に保持される（図３の（ｂ）参照）。
【００２６】
図３の（ｂ）に示すように、商品載置台２を前傾姿勢に傾倒した状態で、中扉６０の拭き作業や商品載置台２のステージ２１に溜まった塵埃を払い落とす清掃作業、若しくは商品載置台２に展示された商品見本８０の交換などのメンテナンス作業が行われる。この場合、商品載置台２は中扉６０から離れており、また、前傾姿勢に傾倒していることから、そのメンテナンス作業を簡単に行うことができる。清掃や商品見本８０の交換などメンテナンス作業を完了した後は商品載置台２を元の位置に戻す。この作業は前記と逆の手順、つまり、商品載置台２を、支持軸２２１を支点として商品見本８０が起立状態となるように回動させた上で、中扉６０に向けてスライド移動させる。そして、支持軸２２１をブラケット３，３の異形溝３１におけるスライド溝部３１２に嵌合させて商品載置台２を商品見本８０の商品展示位置にセットする。
【００２７】
さて、前記ディスプレイ台１（商品載置台２）から分離された商品情報表示部材４は、図２に示すように左右に二分割されている。この商品情報表示部材４は乳白色（光透過性）のポリカーボネート樹脂により横長帯状に形成されるとともにディスプレイ台１に展示される商品見本８０に対応する冷温情報４１と価格情報４２が横並びに表示された表示領域が上下に区分され、当該上下の表示領域にそれぞれ異なる冷温情報４１と価格情報４２を互いに逆さにして表示してなる。この実施の形態では、右側の商品情報表示部材４の上部の表示領域には「ＨＯＴ」の文字が、そして、下部の表示領域には「ＣＯＬＤ」の文字が互いに逆さまに表示され、左側の商品情報表示部材４の上部の表示領域には「ＣＯＬＤ」の文字が、そして、下部の表示領域には「ＨＯＴ」（図ではホルダー５に隠れて見えない）の文字が互いに逆さまに表示されている。なお、図には明示されていないが、冷温情報４１は、商品のホット状態を表すパターンとして暖色（赤色）の背景色に白抜きの「ＨＯＴ」の文字が施され、商品のコールド状態を表すパターンとして寒色（青色）の背景色に白抜きの「ＣＯＬＤ」の文字が施されているものである。前記冷温情報４１と横並びに表示された価格情報（￥１２０）は白色の背景色に黒色にて印刷されている。なお、４３は隣接する商品情報（冷温情報４１，価格情報４２）との間の上下縁部に形成された凹状の係合溝であり、後述するホルダー５の係止爪５４に係合するものである。
【００２８】
前記商品情報表示部材４が装着されるホルダー５は横長の薄板鋼板製になり、横断面Ｕ字状の保持部５１（図４も参照）が形成されている。この保持部５１の溝幅は、横長帯状の商品情報表示部材４の板厚よりも若干大きく形成されている。前記ホルダー５には保持部５１における前壁の上端から前方に向う庇部５２が形成され、この庇部５２の前縁には３個の係止爪５２１が折り曲げにより下方に向けて形成されている。前記保持部５１の後壁の上端は折返しによりダブルホールドされている。また、前記保持部５１の後壁には切り起こしにより形成された固定片５３が設けられ、この固定片５３にはねじ挿通穴５３１が形成されている。なお、ホルダー５の保持部５１における溝下部には当該溝底の切り起こしにより係止爪５４（図２では保持部５１の下部を円弧状に切り欠いたように見える箇所であり、引出し線を点線で示している）が形成され、この係止爪５４に前述した商品情報表示部材４の上下縁部に形成した係合溝４３が係合することにより商品情報表示部材４が左右方向に移動するのを防止している。
【００２９】
上記構成になるホルダー５は、図４（商品選択ボタンユニット９０を構成する取付金具９１にホルダー５を取り付けた状態の側面断面図）に示すように、商品選択ボタンユニット９０を構成する取付金具９１に取り付けられている。ここで、前記ホルダー５の取り付けに先立ち商品選択ボタンユニット９０について説明すると、この商品選択ボタンユニット９０は、周知のように、商品選択ボタン９０１を組み込んだ樹脂成形品としてなる断面半月状の釦ケース９００に覆われた不図示のベース基板にプリント基板が固定され、このプリント基板には商品選択ボタン９０１により作動するスイッチ素子，販売可能表示用／売切表示用の発光ダイオード，入出力制御用ＩＣ，外部接続用コネクタなどの各種部品が実装されている。前記プリント基板の外部接続用コネクタは背面側に突出しており、前記ベース基板に背面側に突出して形成されたボスに囲繞されており、取付金具９１の背後から制御信号伝送用ハーネスのカプラが接続されるように構成されている。さらに、ベース基板には背面側に突出するとともにインサートナットが埋設されたボスを備え、取付金具９１の背後からねじＳ１を前記ボス内に埋設されたインサートナットに螺合させることにより商品選択ボタンユニット９０が透明板４０に取り付けられる。なお、透明板４０および取付金具９１には前記ベース基板の背後の突出するボスが貫通する貫通穴が形成されているものである。
【００３０】
前記商品選択ボタンユニット９０の取付金具９１は、上部フランジ９１１と下部フランジ９１２を有する略Ｃ字状に形成され、前記下フランジ９１２内には制御信号伝送用ハーネスが引き回されるように構成されているのは周知のとおりである。この実施の形態の取付金具９１は、上フランジ９１１に前述したホルダー５の係止爪５２１が係合する係合孔（不図示）が形成され、下フランジ９１２に前記ホルダー５の固定片５３が当接するストッパ片９１２ａが設けられ、このストッパ片９１２ａにねじ穴（不図示）がタップされている。
【００３１】
さて、前記ホルダー５の商品選択ボタンユニット９０を構成する取付金具９１への取り付けは、ホルダー５の庇部５２の前縁に形成された係止爪５２１を取付金具９１における上フランジ９１１に形成した係合孔（不図示）に嵌め込んだ後、ホルダー５の固定片５３を下フランジ９１２のストッパ片９１２ａに当接させたうえで固定片５３に形成したねじ挿通孔５３１を介して不図示のねじをストッパ片９１２ａに形成したねじ穴に螺合させる。これによりホルダー５が商品選択ボタンユニット９０の取付金具９１に取り付けられる。このように、商品選択ボタンユニット９０の取付金具９１に取り付けられたホルダー５の横断面Ｕ字状の保持部５１に前述した商品情報表示部材４が装着される。前記ホルダー５の保持部５１に商品情報表示部材４を装着すると、商品情報表示部材４に上下に区分された表示領域のうちの上方の表示領域がホルダー５の保持部５１の上方に露出する一方、下方の表示領域が保持部５１に隠れる。
【００３２】
なお、ディスプレイ台１（商品展示台２）の内部には、照明光源としてのＬＥＤユニット（不図示）が配設され、当該ＬＥＤユニットの白色ＬＥＤからの光が商品載置台２のステージ２１に形成した嵌合部２４を介して上方側の商品見本８０の内部に照射されるとともに商品載置台２のフレーム２５の前方域を覆うプレート６に照射され、また、下方側の商品見本８０に照射されるように構成されているものである。
【００３３】
前述した本発明の実施の形態１に係る自動販売機の商品見本展示装置によれば、本体キャビネット１０の前面を開閉する外扉２０に形成されたディスプレイ室５０内に配設され、複数の商品見本８０を展示する商品載置台２および前記商品載置台２を保持する左右一対のブラケット３，３からなるディスプレイ台１を備えた自動販売機の商品見本展示装置において、ディスプレイ台１を構成する商品載置台２は、その上面のステージ２１に商品見本８０を嵌合保持する嵌合部２４を形成するフレーム２５を備え、当該フレーム２５の前方域を切欠いて開放してなることにより、ディスプレイ台１を構成する商品載置台２の嵌合部２４に商品見本８０を嵌合保持させた場合、前記嵌合部２４を形成するフレーム２５は商品見本８０に隠れてディスプレイ室５０内に露出することがない、つまり、利用者が商品見本８０を見て購入商品を選択する場合にも利用者の目に留まることがないので、従来のように商品載置台２によって商品見本８０が霞んでしまうということを防止することができ、さらに、ディスプレイ台１を構成する商品載置台２は、その上面のステージ２１に商品見本８０を嵌合保持する嵌合部２４を形成するフレーム２５を備え、当該フレーム２５の前方域を切欠いて開放するという、従来のディスプレイ台の商品載置台に対して僅かの設計変更のみで恰も商品見本８０が空中に浮かんでいるように展示することが可能である。
【００３４】
さらに加えて前述した本発明の実施の形態１に係る自動販売機の商品見本展示装置によれば、本体キャビネット１０の前面を開閉する外扉２０に形成されたディスプレイ室５０内に配設され、複数の商品見本８０を展示する商品載置台２および前記商品載置台２を保持する左右一対のブラケット３，３からなるディスプレイ台１を備えた自動販売機の商品見本展示装置において、ディスプレイ台１を構成する商品載置台２は、その上面のステージ２１に商品見本８０を嵌合保持する嵌合部２４を形成するフレーム２５を備え、当該フレーム２５の前方域を切欠いて開放してなり、かつ、前記商品載置台２のフレーム２５の前方域を覆う光透過性材料からなるプレート６を設けたことにより、プレート６を有色、例えば、販売商品のキャラクターの色，販売商品をイメージした色とすることによってディスプレイ室５０内を光により演出することが可能となる。また、プレート６を商品見本８０の冷温情報に一致した暖色系，寒色系の色とすることによりホット，コールド状態を表示することも可能である。
【００３５】
なお、前述した実施の形態１では、プレート６の抜き穴６１を、商品載置台２１のフレーム２５の外郭に略一致する大きさに形成したものについて説明したが、抜き穴６１の大きさを商品載置台２１のフレーム２５の外郭よりも一回り大きく形成してフレーム２５の外縁と抜き穴６１の孔縁との間に前面側に凸の湾曲状の隙間を設け、当該隙間に薄いシート状の商品見本を差し込んで展示するように構成することもできる。
【００３６】
また、前述した実施の形態１では、商品情報表示部材４は左右に二分割されたものについて説明したが、例えば、個々の商品見本８０に対応する個別のものとすることもできるものである。さらに、冷温情報４１と価格情報４２が横並びに表示された商品情報表示部材４を用いたものについて説明したが、従来と同様に冷温情報が表示された冷温情報表示部材と価格情報が表示された価格情報表示部材とを設け、これらの冷温情報表示部材および価格情報表示部材を前後に重ね合わせるものであっても良いものである。
（実施の形態２）
図５および図６は、本発明の実施の形態２に係る自動販売機の商品見本展示装置を示す。この実施の形態２に係る自動販売機の商品見本展示装置が実施の形態１に係る自動販売機の商品見本展示装置の相違する点は、実施の形態１に係る自動販売機の商品見本展示装置においてはディスプレイ台１（商品載置台２）から冷温情報，価格情報が表示された商品情報表示部材４が分離されているのに対し、ディスプレイ台１Ａを構成する商品載置台２Ａに冷温情報，価格情報を表示する部材が一体に形成されている点であり、左右一対のブラケット３，３を含むその他の構成については同一であるので、同一の符号を付して重複する説明について省略する。
【００３７】
図５および図６において、１Ａは本発明に係るディスプレイ台であり、横長の商品載置台２Ａおよび左右一対のブラケット３，３からなる。７は価格情報７１が表示された価格情報表示部材であり、前記ディスプレイ台１（商品載置台２）に装着されるものである。８は冷温情報が表示された無端の帯状冷温情報表示体であり、前記前記ディスプレイ台１（商品載置台２）に架け渡して配設されるものである。なお、価格表示部材７および帯状冷温情報表示体８は特許文献２に記載されているものと同一であるので、詳細な説明は特許文献２に譲り、ここでは簡略な説明にとどめる。
【００３８】
前記ディスプレイ台１Ａを構成する商品載置台２Ａは薄板鋼板製になり、上面を形成するステージ２１Ａと、当該ステージ２１Ａの左右端縁に連なる左右側壁２２，２２と、前記ステージ２１Ａの前縁に連なる前面壁２７と、前記ステージ２１の後縁に連なる後面壁（不図示）からなる。前記商品載置台２Ａのステージ２１Ａには、商品見本８１（この実施の形態２では缶，瓶，ペットボトルなどの容器形状に一致させた中空状の本体部を縦方向に半分に切断した半割り状の商品見本）が嵌合係止される複数、この実施の形態２では１２個からなる略半円形状の嵌合部２４Ａを形成するフレーム２５Ａが形成されている。前記複数のフレーム２５Ａのそれぞれ前方域はフレーム２５Ａの前縁およびステージ２１の前縁２１１を残して切り欠いた開口部２１０として形成されている。また、ステージ２１Ａの左右両端に設けられた係合板部２６Ａ，２６Ａには下方に押し出し形成されたストッパ２６１Ａ，２６１Ａが前後方向に並設されている。
【００３９】
前記ステージ２１Ａの前面壁２７の下端は前方側に折り曲げて形成したガイド部２７ａが設けられるとともに各商品見本８０に対応して複数（ 本実施の形態では１２個）の透光穴２７ｂ が設けられている。前記ステージ２１Ａの後面壁（不図示）の下端にも前方側に折り曲げて形成したガイド部が形成されている。  前記価格情報表示部材７は前記商品載置台２Ａの前面壁２７に沿うように横長の透明なポリカーボネート樹脂からなり、前記前面壁２７の透光穴２７ｂに対応して価格情報７１（例えば、￥１２０）が表示されている。この価格情報表示部材７は前記商品載置台２Ａの前面壁２７のガイド部２７ａに装着されるものである。
【００４０】
前記帯状冷温情報表示体８は透光性フィルムからなる無端の帯状体として形成され、その外面における周方向に沿った上方域には冷温情報８ａ（「ＨＯＴ」および「ＣＯＬＤ」の文字）が表示されている。この冷温情報８ａは、図には明示されていないが、商品のホット状態を表すパターンとして暖色（赤色）の背景色に白抜きの「ＨＯＴ」の文字として、また、商品のコールド状態を表すパターンとして寒色（青色）の背景色に白抜きの「ＣＯＬＤ」の文字として印刷されている。なお、「ＨＯＴ」および「ＣＯＬＤ」の文字と背景色は帯状冷温情報表示体８の周方向の略半周分ずつに区分して施されている。この帯状冷温情報表示体８は前方側半周部分が商品載置台２Ａの前面壁２７の前方側を通り、後方側半周部分が商品載置台２Ａの後面壁の前方側を通るように前面壁２７のガイド部２７ａおよび後面壁のガイド部に支持される態様で商品載置台２Ａの左右両端で折り返すように架け渡される。この場合、商品載置台２Ａの前面壁２７のガイド部２７ａに装着される価格表示部材７は帯状冷温情報表示体８の前方側に配置される。
【００４１】
この実施の形態２のディスプレイ台１Ａの組立ては、実施の形態１と同様に、まず、左右一対のブラケット３，３をディスプレイ室の中扉６０（図１２参照）に取り付ける。次いで、中扉６０に固着された左右一対のブラケット３，３に対して商品載置台２Ａを、左右一対のブラケット３，３の上方から被せるように装着する。ここで、商品載置台２Ａの左右側壁２２Ａ，２２Ａに内側に向けて突出する支持軸２２１Ａをブラケット３，３の異形溝３１に挿入して商品載置台２Ａとブラケット３，３とを一体化したうえで商品載置台２Ａを商品展示位置にセットする点は実施の形態１と同様であるが、唯一次の点が異なる。それは、ステージ２１Ａの左右両端に設けられた係合板部２６Ａ，２６Ａに前後方向に並設したストッパ２６１Ａ，２６１Ａによりブラケット３，３に形成した係止片３２，３２を挟むように構成した点である。
【００４２】
図５は前記商品載置台２Ａを商品展示位置にセットした状態を示している。図５からも分かるように、商品載置台２Ａのステージ２１Ａは商品見本８１に隠れて見えず、そして、前記商品載置台２Ａのステージ２１Ａにおける複数のフレーム２５Ａのそれぞれ前方域がフレーム２５Ａの前縁を残して切り欠いた開口部２１０として形成されていることから、商品見本８１は空中に浮かんでいるように展示されるものである。
【００４３】
なお、実施の形態２では、実施の形態１のプレート６を省略したが、実施の形態２にも前記プレート６を追加装備できるものである。
【００４４】
前述した本発明の実施の形態２に係る自動販売機の商品見本展示装置によれば、本体キャビネット１０の前面を開閉する外扉２０に形成されたディスプレイ室５０内に配設され、複数の商品見本８１を展示する商品載置台２Ａおよび前記商品載置台２Ａを保持する左右一対のブラケット３，３からなるディスプレイ台１Ａを備えた自動販売機の商品見本展示装置において、ディスプレイ台１Ａを構成する商品載置台２Ａは、その上面のステージ２１Ａに商品見本８１を嵌合保持する嵌合部２４Ａを形成するフレーム２５Ａを備え、当該フレーム２５Ａの前方域を切欠いて開口部２１０として形成してなることにより、ディスプレイ台１Ａを構成する商品載置台２Ａの嵌合部２４Ａに商品見本８１を嵌合保持させた場合、前記嵌合部２４Ａを形成するフレーム２５Ａは商品見本８１に隠れてディスプレイ室５０内に露出することがない、つまり、利用者が商品見本８１を見て購入商品を選択する場合にも利用者の目に留まることがないので、従来のように商品載置台２Ａによって商品見本８１が霞んでしまうということを防止することができ、さらに、ディスプレイ台１Ａを構成する商品載置台２Ａは、その上面のステージ２１Ａに商品見本８１を嵌合保持する嵌合部２４Ａを形成するフレーム２５Ａを備え、当該フレーム２５Ａの前方域を切欠いて開口部２１０を形成するという、従来のディスプレイ台の商品載置台に対して僅かの設計変更のみで恰も商品見本８１が空中に浮かんでいるように展示することが可能である。
（実施の形態３）
図７乃至図１１は、本発明の実施の形態３に係る自動販売機の商品見本展示装置を示す。この実施の形態３に係る自動販売機の商品見本展示装置が実施の形態１に係る自動販売機の商品見本展示装置の相違する点は、実施の形態１に係る自動販売機の商品見本展示装置のディスプレイ台１を構成する商品載置台２のステージ２１が水平面として構成されているのに対し、ディスプレイ台１Ｂを構成する商品載置台２Ｂのステージ２１Ｂが前下がりに傾斜した傾斜面として形成されている点、および実施の形態１に係る自動販売機の商品見本展示装置のディスプレイ台１を構成するブラケット３，３が中扉６０に固定されているのに対し、左右一対のブラケット３Ｂ，３Ｂが外扉２０に固定され、ディスプレイ台１Ｂ（商品載置台２Ｂ）が外扉２０に装着されている点であり、商品情報表示部材４が装着されるホルダー５を、商品選択ボタンユニット９０を構成する取付金具９１に取り付ける構成については同一であるので、この実施の形態３ではその説明を割愛する。
【００４５】
図７において、１Ｂは本発明に係るディスプレイ台であり、商品載置台２Ｂおよびブラケット３Ｂ，３Ｂ（図９も参照）からなる。６Ｂはディスプレイ台１Ｂに組み付けられたプレートである。
【００４６】
前記商品載置台２Ｂは、横長平板状で前下がりに傾斜したステージ２１Ｂと、当該ステージ２１Ｂの左右端縁から背面側に折り曲げられた閉塞壁２０１Ｂに連なる左右側壁２２Ｂ，２２Ｂとからなる。前記商品載置台２Ｂのステージ２１Ｂには、立体状商品見本８２が嵌合係止される複数、この実施の形態３では１０個からなる略楕円形状の嵌合部２４Ｂを形成するフレーム２５Ｂが形成されている。前記複数のフレーム２５の上方（後方）域は一体的に連結されたステージ平面として形成されるとともに塵埃が溜まるのを防止する抜き穴２１１Ｂが形成され、また、ステージ平面の上端には後述するプレート６Ｂの係合爪６１１Ｂが差し込まれる挿通孔２１２Ｂが点在（この実施の形態では中央部分と、この中央部分から左右にフレーム３個分離れた箇所）して形成される一方、複数のフレーム２５Ｂのそれぞれ下方（前方）域はフレーム２５Ｂの前縁を残して切り落とされて開放域（空白域として形成）されている。また、ステージ２１Ｂの左右両端には閉塞壁２０１Ｂに連なる係合板部２６Ｂ，２６Ｂが設けられ、当該係合板部２６Ｂ，２６Ｂにはプレート６Ｂを固着するクランプ（ナイロンリベットなど）ＣＰの挿通孔２６２Ｂが形成されている。
【００４７】
前記商品載置台２Ｂの左右側壁２２Ｂ，２２Ｂは、その上縁から直角に折り曲げられた天板部２２０（図８も参照）が前記ステージ２１Ｂの閉塞壁２０１Ｂの下縁に連ねる態様で形成され、その板面には内側に向って突出する支持軸２２１Ｂが設けられている。この支持軸２２１Ｂは、実施の形態１と同様に横断面Ｄ字状（図３の（ａ）参照）に形成されてＤ字の直線部分が水平面として上方に位置するように左右側壁２２Ｂ，２２Ｂに固着されている。なお、２２２Ｂは左右側壁２２，２２の前縁から内方に向けて折り曲げられたストッパ片である。
【００４８】
前記商品載置台２Ｂのステージ２１Ｂにフレーム２５Ｂにより形成された略楕円形状の嵌合部２４Ｂに嵌合保持される商品見本８２は、良く知られているように光透過材料により中空状に形成された本体部に商品のデザインが施されるとともに当該本体部の下方側がステージ２１Ｂの傾斜角度に合わせて斜めにカットされ、かつ、そのカットされた底面に前記嵌合部２４Ｂに嵌合する嵌合部が設けられている。
【００４９】
前記商品載置台２Ｂとともにディスプレイ台１Ｂを構成する左右一対のブラケット３Ｂ，３Ｂは商品載置台２Ｂを支持する腕木として機能するものである。この左右一対のブラケット３Ｂ，３Ｂは、図９にも示すように、左右対称に形成されているので、ここでは図の右側のブラケット３Ｂについて図８を参照しつつ説明する。なお、図８において、４００は外扉２０（図１２参照）の上部域に開口した窓穴を背面側から覆う透明板４０を取付けるための押え金具である。この種の押え金具４００は特開２０１０−１２８５４９号公報にも開示されているように周知のものであり、透明板４０の周囲を取り囲むように上下左右に設けられ（図８では正面視右側の押え金具を示す）、後端（不図示）が外扉２０の扉枠にねじで固定され、前端のフランジ４１０と外扉２０の窓穴周縁との間に透明板４０を挟持固定するものである。
【００５０】
前記ブラケット３Ｂは、図８に示すように、その板面に前記商品載置台２Ｂの左右側壁２２Ｂ，２２Ｂに取付けられた支持軸２２１Ｂを嵌合支持する異形溝３１Ｂが形成されたブラケット本体３Ｂ１と、ブラケット本体３Ｂ１の下縁から外方に延在するとともに延在端部を上方に折り曲げられた係止部３Ｂ２とからなる。前記異形溝３１Ｂは、それぞれブラケット本体３Ｂ１の上縁に開口した深溝からなる前半域の拘束溝部３１２Ｂおよび浅溝からなる後半域のスライド溝部３１１Ｂの組み合わせからなる。前記異形溝３１Ｂのうち、前半域の拘束溝部３１２Ｂは前記支持軸２２１Ｂの前後方向への移動を拘束して商品載置台２Ｂを展示位置に保持するものであり、拘束溝部３１２Ｂの前後方向の寸法ｈ１は支持軸２２１Ｂの径よりも僅かに大きく形成されている。前記異形溝３１Ｂのうち、後半域のスライド溝部３１１Ｂはその溝縁に沿って前記支持軸２２１Ｂの後方への移動をガイドするとともに当該支持軸２２１Ｂを回転可能に支えるものである。なお、ブラケット本体３Ｂ１の後方側上縁には内方を向くフランジ３Ｂ１１が形成されている。
【００５１】
前記ブラケット３Ｂにおける係止部３Ｂ２の板面には外方に突出するとともに前方に延在した係止爪３Ｂ２１が切り起こしにより形成され、また、係止部３Ｂ２の前端にも同様の係止爪３Ｂ２１が形成され、前後一対の係合爪３Ｂ２１，３Ｂ２１の間にダボ係合孔３Ｂ２２が穿孔されている。一方、前記ブラケット３Ｂが係止固定される押え金具４００の板面には前後一対の係合穴部４１０，４１０が形成され、これらの係合穴部４１０，４１０の間に内側（ディスプレイ室５０内側）に突出するダボ突起４２０が形成されている。前記係合穴部４１０，４１０は前端部に鉛直線方向に切り込んだうえで絞り加工を施したものであり、前記ブラケット３Ｂの係止部３Ｂ２における係合爪３Ｂ２１が嵌まり込む大きさの凹部を備えるとともにその前方が開口してなるものである。前記押え金具４００には、前後一対の係合穴部４１０，４１０とこれらの係合穴部４１０，４１０の間に設けられたダボ突起４２０の組が、商品見本８２の展示レイアウトに応じて上下方向に複数段設けられている。
【００５２】
ここで、前記ブラケット３Ｂは次のようにして押え金具４００に係止固定される。すなわち、前後一対の係止爪３Ｂ２１，３Ｂ２１を係合穴部４１０，４１０の凹部に嵌め込んだ状態でブラケット３Ｂを前方にスライドさせると前後一対の係止爪３Ｂ２１，３Ｂ２１が係合穴部４１０，４１０の開口を貫通して押え金具４００の板面の背後に進入する。この場合、押え金具４００の板面に形成したダボ突起４２０が前記ブラケット３Ｂの係止部３Ｂ２の板面に当接しているので、前後一対の係止爪３Ｂ２１，３Ｂ２１が広がるように撓むことによってダボ突起４２０と係止部３Ｂ２との間にばね力を付与している。そして、前記係止部３Ｂ２に穿孔したダボ係合孔３Ｂ２２がダボ突起４２０に到達すると前後一対の係止爪３Ｂ２１，３Ｂ２１のばね力によりダボ突起４２０がダボ係合孔３Ｂ２２に嵌り込む。これによりブラケット３Ｂが押え金具４００に係止固定される。
【００５３】
前記ディスプレイ台１Ｂに組み付けられるプレート６Ｂは、商品載置台２Ｂのステージ２１Ｂよりも一回り小さい横長のガラス若しくはプラスチック成形品になる。このプレート６Ｂは商品載置台２１Ｂのフレーム２５Ｂに対応してカットされた１０個の切欠き６１Ｂを備えた櫛状に形成され、左右端部にクランプＣＬの係止孔６２Ｂが形成されている。前記切欠き６１Ｂは商品載置台２１Ｂのフレーム２５Ｂの外郭に略一致する大きさに形成されている。また、切欠き６１Ｂにより形成された櫛の歯のうち、中央の歯およびこの中央の歯から左右に３個目の歯の先端（自由端）には係合爪６１Ｂが形成されている。
【００５４】
前記プレート６Ｂは商品載置台２Ｂにおけるステージ２１Ｂの下面に挿入、すなわち、図８に示すようにプレート６Ｂをステージ２１Ｂの斜め下方に配置させた状態でプレート６Ｂにおける櫛の歯をステージ２１の下面に挿入する。この場合、プレート６Ｂにおける左右両端の櫛の歯を前記ステージ２１Ｂの左右両端の係合板部２６Ｂ，２６Ｂに対応させて挿入すると、他の歯が隣接するフレーム２５Ｂの間に配置される状態となる。そして、プレート６Ｂにおける所定の櫛の歯に形成された係合爪６１１Ｂをステージ２１Ｂにおけるステージ平面の上端に形成された挿通孔２１２Ｂに挿入させたうえで前記ステージ２１Ｂの左右両端の係合板部２６Ｂ，２６Ｂに形成した挿通孔２６２Ｂを介してクランプＣＬを差し込むことによってプレート６Ｂが商品載置台２Ｂに一体化される。
【００５５】
次に、図７に示したディスプレイ台１Ｂのディスプレイ室５０への組付けについて説明すると、まず、左右一対のブラケット３Ｂ，３Ｂを押え金具４００（図８参照）に係止固定する。右側のブラケット３Ｂの押え金具４００への係止固定については前述したとおりであり、これに倣って左側のブラケット３Ｂも押え金具４００（この場合、左側の押え金具）に係止固定する。次いで、押え金具４００に係止された左右一対のブラケット３Ｂ，３Ｂの上方から商品載置台２Ｂを被せるように装着する。この場合、商品載置台２Ｂの左右側壁２２Ｂ，２２Ｂに内側に向けて突出する支持軸２２１Ｂをブラケット３Ｂ，３Ｂの上縁に開口した異形溝３１Ｂに対峙させたうえで、商品載置台２Ｂをブラケット３Ｂ，３Ｂに被せる。そして、商品載置台２Ｂの左右側壁２２Ｂ，２２Ｂにおける天板部２２０がブラケット３Ｂの上縁に形成したフランジ３Ｂ１１に当接すると、支持軸２２１Ｂが異形溝３１Ｂの拘束溝部３１２Ｂに嵌合した状態で商品載置台２Ｂがブラケット３Ｂ，３Ｂに装着される。この場合、左右側壁２２Ｂ，２２Ｂの天板部２２０がブラケット３Ｂのフランジ３Ｂ１１に当接することにより商品載置台２Ｂが支持軸２２１Ｂを中心に後傾することが阻止される一方、左右側壁２２Ｂ，２２Ｂのストッパ片２２２Ｂ，２２２Ｂがブラケット３Ｂのブラケット本体３Ｂ１における前縁と当接することにより商品載置台２Ｂが支持軸２２１Ｂを中心に前傾することが阻止される。このように、支持軸２２１Ｂが拘束溝部３１２Ｂに嵌合すると商品載置台２Ｂがブラケット３Ｂに拘束された状態となる。この状態は商品載置台２Ｂが商品展示位置にセットされた状態であり、図１０に商品展示位置にセットされた商品載置台２Ｂを示している。
【００５６】
図１０に示すように商品展示位置にセットされた商品載置台２Ｂをメンテナンス位置に移動させる場合、商品載置台２Ｂを支持軸２２１Ｂを中心に後傾するように若干の力を加えつつ、支持軸２２１Ｂが異形溝３１Ｂを構成する拘束溝部３１２Ｂからスライド溝部３１１Ｂに連なる溝縁に沿って移動するように商品載置台２Ｂを上方へ持ち上げる。支持軸２２１Ｂが拘束溝部３１２Ｂの溝縁を摺動する間は左右側壁２２Ｂ，２２Ｂのストッパ片２２２Ｂ，２２２Ｂがブラケット３Ｂのブラケット本体３Ｂ１における前縁と干渉して商品載置台２Ｂの後傾が妨げられるが、支持軸２２１Ｂが拘束溝部３１２Ｂからスライド溝部３１１Ｂへ連なる溝縁に到達するとストッパ片２２２Ｂ，２２２Ｂがブラケット本体３Ｂ１における前縁との干渉から抜け出して商品載置台２Ｂが支持軸２２１Ｂを中心として後傾し始める。この場合、左右側壁２２Ｂ，２２Ｂの天板部２２０はブラケット本体３Ｂ１のフランジ３Ｂ１１よりも上方へ移動しているので、フランジ３Ｂ１１と干渉することなくブラケット本体３Ｂ１の後縁側に回り込む。支持軸２２１Ｂをスライド溝部３１１Ｂの下縁に沿って後方にスライドさせる段階ではストッパ片２２２Ｂ，２２２Ｂがブラケット本体３Ｂ１の前縁の上縁に当接しているので商品載置台２Ｂは除々に後傾し、支持軸２２１Ｂがスライド溝部３１１Ｂの後縁に当接した段階ではストッパ片２２２Ｂ，２２２Ｂがブラケット本体３Ｂ１の前縁の上縁との当接が解除されてストッパ片２２２Ｂ，２２２Ｂがブラケット本体３Ｂ１のフランジ３Ｂ１１の上に乗る状態となる。すなわち、商品載置台２Ｂが商品展示位置にセットされた状態から略９０度だけ後方に回転した状態となる。
【００５７】
ここで、左右側壁２２Ｂ，２２Ｂのストッパ片２２２Ｂ，２２２Ｂがブラケット本体３Ｂ１のフランジ３Ｂ１１の上に乗る状態では後傾した商品載置台２Ｂの重心位置が支持軸２２１Ｂよりも後方側に位置することから支持軸２２１Ｂが浮き上がるように後傾を続けるが、ブラケット本体３Ｂ１の後縁側に回り込んだ左右側壁２２Ｂ，２２Ｂの天板部２２０がブラケット本体３Ｂ１の後縁に当接すると支持軸２２１Ｂがスライド溝部３１１Ｂの後縁と干渉して商品載置台２Ｂの後傾が阻止される。つまり、商品載置台２Ｂが商品展示位置にセットされた状態から後傾姿勢に傾倒したメンテナンス位置に保持される（図１１参照）。
【００５８】
さて、図１０は商品展示位置にセットされた商品載置台２Ｂのステージ２１Ｂに形成された嵌合部２４Ｂに商品見本８２が装着されて展示される状態を示している。この図１０からも分かるように、商品載置台２Ｂに形成された複数のフレーム２５Ｂは商品見本８２に隠れて見えず、そして、複数のフレーム２５Ｂのそれぞれ前方域および隣接するフレーム２５Ｂの間が開放された空白域に光透過材料からなるプレート６Ｂが存在し、当該プレート６が無色透明である場合には商品見本８２があたかも空中に浮かんでいるように展示されるものである。また、プレート６Ｂを有色、例えば、販売商品のキャラクターの色，販売商品をイメージした色とすることによってディスプレイ室５０内を光により演出することが可能となり、さらに、プレート６Ｂを商品見本の冷温情報に一致した暖色系，寒色系の色とすることによりホット，コールド状態を表示することも可能である。なお、この実施の形態ではプレート６Ｂを装着した例について説明したが、プレート６Ｂを省くこともできるものである。
【００５９】
前述した本発明の実施の形態３に係る自動販売機の商品見本展示装置によれば、本体キャビネット１０の前面を開閉する外扉２０に形成されたディスプレイ室５０内に配設され、複数の商品見本８２を展示するステージ２１Ｂを有するディスプレイ台１Ｂを備えた自動販売機の商品見本展示装置において、前記ディスプレイ台１Ｂ（商品載置台２Ｂ）のステージ２１Ｂに商品見本８２を嵌合保持する嵌合部２４Ｂを形成するフレーム２５Ｂを備え、当該フレーム２５Ｂの前方域を開放してなることにより、ディスプレイ台１Ｂを構成する商品載置台２１Ｂの嵌合部２４Ｂに商品見本８２を嵌合保持させた場合、前記嵌合部２４Ｂを形成するフレーム２５Ｂは商品見本８２に隠れてディスプレイ室５０内に露出することがない、つまり、利用者が商品見本８２を見て購入商品を選択する場合にも利用者の目に留まることがないので、従来のように商品載置台によって商品見本が霞んでしまうということを防止することができ、さらに、ディスプレイ台１Ｂを構成する商品載置台２Ｂは、その上面のステージ２１Ｂに商品見本８２を嵌合保持する嵌合部２４Ｂを形成するフレーム２５Ｂを備え、当該フレーム２５Ｂの前方域を開放するという、従来のディスプレイ台の商品載置台に対して僅かの設計変更のみで恰も商品見本８２が空中に浮かんでいるように展示することが可能である。
【００６０】
なお、前記各実施の形態では商品見本８０，８１，８２を嵌合保持する嵌合部２４，２４Ａ，２４Ｂを形成するフレーム２５，２５Ａ，２５Ｂが切れ目のない連続したものについて説明したが、フレーム２５，２５Ａ，２５Ｂは必ずしも連続したものではなく、切れ目を有するものでも良いものであり、前述した実施の形態によりこの発明が限定されるものではない。
【符号の説明】
【００６１】
１，１Ａ，１Ｂ…ディスプレイ台、２，２Ａ，２Ｂ…商品展示台、３，３Ｂ…ブラケット、４…商品情報表示部材、５…ホルダー、６，６Ｂ…プレート、７…価格情報表示部材、８…帯状冷温情報表示体、２０…外扉、２１，２１Ａ，２１Ｂ…ステージ、２２，２２Ａ，２２Ｂ…側壁、２４，２４Ａ，２４Ｂ…嵌合部、２５，２５Ａ，２５Ｂ…フレーム、２７…前面壁、５０…ディスプレイ室、８０，８１，８２…商品見本、２１０…開口部、２１１，２２１Ｂ…支持軸。
【図１】
2014099153.tif 000003
【図２】
2014099153.tif 000004
【図３】
2014099153.tif 000005
【図４】
2014099153.tif 000006
【図５】
2014099153.tif 000007
【図６】
2014099153.tif 000008
【図７】
2014099153.tif 000009
【図８】
2014099153.tif 000010
【図９】
2014099153.tif 000011
【図１０】
2014099153.tif 000012
【図１１】
2014099153.tif 000013
【図１２】
2014099153.tif 000014